(57)【要約】【課題】  簡単な構成でクロック同期式の信号ラインの不要輻射ノイズ対策を図ることができ、該クロック同期式の信号ラインを介して行うデータ通信の信頼度の向上を図る。【解決手段】  送信側（送信回路４１）から送信されたクロック及びデータに対して、クロック同期式の信号ライン２０で重畳した高周波成分のうち、クロックに重畳している高周波成分のみ、受信側（受信回路２１）のローパスフィルタ３１で除去すると共に、波形整形バッファ回路３２で波形整形して、データが供給されるフリップフロップ３６に供給する。送信側から送信されたデータは、シフトレジスタ３３において、高周波クロック発生部３５からの高周波クロックに基づいて上記クロックと位相合わせされ、上記フリップフロップ３６に供給される。これにより、フリップフロップ３６において、上記高周波成分の除去がなされたクロックに基づいて正確にデータの再生を行うことができる。【選択図】  図３
2007088789.tif 000002
【特許請求の範囲】
【請求項１】
クロック同期式の信号ラインを介してクロック及びデータの受信を行う受信回路であって、
上記信号ラインを介して受信したクロックから所定周波数の高周波成分を除去する高周波成分除去手段と、
上記高周波成分除去手段により高周波成分が除去されたクロックを波形整形して出力する波形整形手段と、
上記信号ラインを介して受信したクロックよりも高周波数の高周波クロックを発生する高周波クロック発生手段と、
上記高周波クロック発生手段からの高周波クロックに基づいて動作し、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力する位相合わせ手段と
を有することを特徴とする受信回路。
【請求項２】
請求項１に記載の受信回路であって、
上記高周波成分除去手段は、カットオフ周波数が上記高周波成分の周波数に設定されたローパスフィルタ回路であること
を特徴とする受信回路。
【請求項３】
請求項１又は請求項２に記載の受信回路であって、
上記位相合わせ手段は、上記高周波クロック発生手段からの高周波クロックに基づいて動作するシフトレジスタ回路であること
を特徴とする受信回路。
【請求項４】
所定周波数のクロックと共に、このクロックに同期したデータを送信する送信回路と、
上記送信回路から送信される上記クロック及び上記データを伝送するクロック同期式の信号ラインと、
上記信号ラインを介して受信した上記クロックから所定周波数の高周波成分を除去する高周波成分除去手段と、上記高周波成分除去手段により高周波成分が除去されたクロックを波形整形して出力する波形整形手段と、上記信号ラインを介して受信したクロックよりも高周波数の高周波クロックを発生する高周波クロック発生手段と、上記高周波クロック発生手段からの高周波クロックに基づいて動作し、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力する位相合わせ手段と
を備えた受信回路と
を有する携帯端末装置。
【請求項５】
請求項４に記載の携帯端末装置であって、
上記送信回路は、半導体撮像素子で被写体の撮像を行う電子カメラ装置であり、
上記受信回路は、少なくとも上記電子カメラ装置の撮像制御を行う制御手段の受信回路であること
を特徴とする携帯端末装置。
【請求項６】
請求項４又は請求項５に記載の携帯端末装置であって、
上記送信回路は、所定のデータの記憶及び読み出しを行うためのハードディスク装置であり、
上記受信回路は、上記ハードディスク装置に対する上記データの記憶制御及び読み出し制御を行う制御手段の受信回路であり、或いは、
上記受信回路は、所定のデータの記憶及び読み出しを行うためのハードディスク装置の受信回路であり、
上記送信回路は、上記ハードディスク装置に対する上記データの記憶制御及び読み出し制御を行う制御手段であること
を特徴とする携帯端末装置。
【請求項７】
請求項４から請求項６のうち、いずれか一項に記載の携帯端末装置であって、
上記受信回路は、データに対応する表示を行う液晶表示装置の受信回路であり、
上記送信回路は、上記液晶表示装置に対する表示制御を行う制御手段であること
を特徴とする携帯端末装置。
【請求項８】
請求項４から請求項７のうち、いずれか一項に記載の携帯端末装置であって、
上記受信回路の高周波成分除去手段は、カットオフ周波数が上記高周波成分の周波数に設定されたローパスフィルタ回路であること
を特徴とする携帯端末装置。
【請求項９】
請求項４から請求項８のうち、いずれか一項に記載の携帯端末装置であって、
上記受信回路の位相合わせ手段は、上記高周波クロック発生手段からの高周波クロックに基づいて動作するシフトレジスタ回路であること
を特徴とする携帯端末装置。
【請求項１０】
クロック同期式の信号ラインを介してクロック及びデータの受信を行うデータ受信方法であって、
高周波成分除去手段が、上記信号ラインを介して受信したクロックから所定周波数の高周波成分を除去するステップと、
上記ステップにおいて、上記高周波成分除去手段により高周波成分が除去されたクロックを、波形整形手段が波形整形して出力するステップと、
高周波クロック発生手段が、上記信号ラインを介して受信したクロックよりも高周波数の高周波クロックを発生するステップと、
上記高周波クロック発生手段からの高周波クロックに基づいて動作する位相合わせ手段が、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力するステップと
を有するデータ受信方法。
【発明の詳細な説明】
【技術分野】
【０００１】
本発明は、クロック同期方式の信号ラインを備えた、例えば携帯電話機、ＰＨＳ電話機（PHS：Personal Handyphone System）、ＰＤＡ装置（PDA：Personal Digital Assistant）等に設けて好適な受信回路、携帯端末装置及びデータ受信方法に関し、特にクロックとデータを受信する際に、該クロックに重畳している不要輻射ノイズ等の高調波成分に影響されることなく、該クロック及びデータを正確に受信可能とした受信回路、携帯端末装置及びデータ受信方法に関する。
【背景技術】
【０００２】
今日において普及している携帯電話機には、例えば液晶表示装置（LCD：Liquid Crystal Display）やカメラ装置等の高速クロックで動作させる高速モジュールが設けられており、さらに大容量メモリとしてハードディスク装置も設けられつつある。そして、このハードディスク装置も高速モジュールの一つとなる。
【０００３】
これらの高速モジュールは、クロック同期式の信号ラインを介して制御部（ＣＰＵ）等と接続されるのであるが、このクロック同期式の信号ラインから発生する不要輻射ノイズが、高速モジュールと制御部等との間のデータ通信に対して悪影響を及ぼす。
【０００４】
このため、従来の携帯電話機には、上記信号ラインに対してコンデンサやＥＭＩフィルタ（EMI：Electro Magnetic Interference）を設け、このコンデンサやＥＭＩフィルタで制御クロックやデータクロック等のクロック波形を鈍らせることで、当該クロックに重畳する高周波成分を低減させて不要輻射ノイズを抑制し、上記高速モジュールと制御部との間のデータ通信に及ぶ悪影響を低減していた。
【０００５】
【特許文献１】特開平２０００−１４８２７８号公報（第３頁〜第４頁：図１）
【発明の開示】
【発明が解決しようとする課題】
【０００６】
しかし、コンデンサやＥＭＩフィルタを設ける場合、不要輻射ノイズ対策のための部品点数が増加する問題を生ずる。
【０００７】
また、コンデンサやＥＭＩフィルタでクロック波形に鈍りが発生するため、該クロックの立ち上がり及び立ち下がりが中途半端なものとなり（＝クロックが立ち上がり切らず、及び立下がり切らず）、クロックの判別が困難となり、データ通信の信頼度が落ちる問題を生ずる。
【０００８】
本発明は上述の課題に鑑みてなされたものであり、簡単な構成でクロック同期式の信号ラインの不要輻射ノイズ対策を図ることができ、該クロック同期式の信号ラインを介して行うデータ通信の信頼度の向上を図ることができるような受信回路、携帯端末装置及びデータ受信方法の提供を目的とする。
【課題を解決するための手段】
【０００９】
本発明に係る受信回路は、クロック同期式の信号ラインを介してクロック及びデータの受信を行う受信回路であって、上述の課題を解決するための手段として、
上記信号ラインを介して受信したクロックから所定周波数の高周波成分を除去する高周波成分除去手段と、
上記高周波成分除去手段により高周波成分が除去されたクロックを波形整形して出力する波形整形手段と、
上記信号ラインを介して受信したクロックよりも高周波数の高周波クロックを発生する高周波クロック発生手段と、
上記高周波クロック発生手段からの高周波クロックに基づいて動作し、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力する位相合わせ手段とを有する。
【００１０】
また、本発明に係る携帯端末装置は、上述の課題を解決するための手段として、
所定周波数のクロックと共に、このクロックに同期したデータを送信する送信回路と、
上記送信回路から送信される上記クロック及び上記データを伝送するクロック同期式の信号ラインと、
上記信号ラインを介して受信した上記クロックから所定周波数の高周波成分を除去する高周波成分除去手段と、上記高周波成分除去手段により高周波成分が除去されたクロックを波形整形して出力する波形整形手段と、上記信号ラインを介して受信したクロックよりも高周波数の高周波クロックを発生する高周波クロック発生手段と、上記高周波クロック発生手段からの高周波クロックに基づいて動作し、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力する位相合わせ手段と
を備えた受信回路と
を有する。
【００１１】
また、本発明に係る携帯端末装置は、クロック同期式の信号ラインを介してクロック及びデータの受信を行うデータ受信方法であって、上述の課題を解決するための手段として、
高周波成分除去手段が、上記信号ラインを介して受信したクロックから所定周波数の高周波成分を除去するステップと、
上記ステップにおいて、上記高周波成分除去手段により高周波成分が除去されたクロックを、波形整形手段が波形整形して出力するステップと、
高周波クロック発生手段が、上記信号ラインを介して受信したクロックよりも高周波数の高周波クロックを発生するステップと、
上記高周波クロック発生手段からの高周波クロックに基づいて動作する位相合わせ手段が、上記高周波成分除去手段の高周波成分除去処理に要する時間分、及び上記波形整形手段の波形整形処理に要する時間分の遅延処理を、上記信号ラインを介して受信したデータに対して施すことで、この受信したデータの位相を上記受信したクロックの位相に合わせて出力するステップと
を有する。
【００１２】
このような本発明は、クロック同期式の信号ラインを介して供給されるクロック及びデータに重畳する高周波成分を、高周波成分除去手段が除去すると共に、この高周波成分除去処理がなされたクロックの波形を、波形整形手段が波形整形処理して出力する。
【００１３】
この波形整形処理後のクロックは、上記高周波成分除去処理及び波形整形処理に要する時間分、位相が遅延したものとなる。このため、位相合わせ手段が、上記信号ラインを介して受信したクロックよりも高周波数の高周波クロックを発生する高周波クロック発生手段がからの高周波クロックに基づいて動作することで、上記クロック同期式の信号ラインを介して供給されたデータに対して、上記高周波成分除去処理及び波形整形処理に要する時間分の遅延処理を施す。そして、上記波形整形処理後のクロックに位相を同期させてデータを出力する。
【００１４】
クロックは、一定周期の繰り返し信号であるため、常に一定の周波数帯域の高調波成分が重畳し易い。これに対して、データは、繰り返し周期が変動する特徴を有しているため、上記クロックとは異なり、一定の周波数帯域の高調波成分は重畳し難い。このため、クロック同期式の信号ラインを介して供給されるクロック及びデータのうち、クロックからのみ高周波成分を除去し、この高周波除去（及び波形整形）に要する時間分の遅延をデータに施して出力することで、信号ラインで重畳した高周波成分を除去したクロックと、このクロックに同期したデータを出力することができる。
【００１５】
従って、高周波成分除去手段（及び波形整形手段）及び位相合わせ手段の簡単な構成でクロック同期式の信号ラインの不要輻射ノイズ対策を図ったクロック及びデータを出力することができる。また、高周波除去（及び波形整形）されたクロックに基づいてデータを再生することとなるため、正確にデータを再生することができ、クロック同期式の信号ラインを介して行うデータ通信の信頼度の向上を図ることができる。
【発明の効果】
【００１６】
本発明は、簡単な構成でクロック同期式の信号ラインの不要輻射ノイズ対策を図ることができ、該クロック同期式の信号ラインを介して行うデータ通信の信頼度の向上を図ることができる。
【発明を実施するための最良の形態】
【００１７】
本発明は、携帯電話機に適用することができる。
【００１８】
［携帯電話機の構成］
この本発明の実施の形態となる携帯電話機は、図１に示すように無線基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための液晶表示部５と、所定の入力操作を行うための操作部６と、発着信等を光で知らせるための発光部７（LED：Light Emitting Diode）と、所望の被写体の静止画像或いは動画像を撮像するためのカメラ部８と、このカメラ部８で撮像された静止画像、動画像や音楽データ等を記憶するための大容量のハードディスク装置９とを有している。
【００１９】
また、この携帯電話機は、通信処理を行うための通信処理プログラム（コミュニケーションプログラム）の他、カメラ部８の撮像動作を制御するためのカメラアプリケーションプログラム、音楽データの再生を行うための音楽プレーヤアプリケーションプログラム等の各種アプリケーションプログラムや、携帯メールの文章データ、スケジュール帳、電話帳、アドレス帳等が記憶されたメモリ１０と、当該携帯電話機全体の動作を制御する制御部１１とを有している。
【００２０】
液晶表示部５、カメラ部８、及びハードディスク装置９等は、高周波数のクロックで動作する高速モジュールとなっており、例えばフレキシブル基板等のクロック同期式の信号ラインを介して制御部１１に接続されている。
【００２１】
具体的には、図２（ａ）は、カメラ部８と制御部１１とがクロック同期式の信号ライン２０を介して接続されている様子を示している。この図２（ａ）からわかるように、カメラ部８側から信号ライン２０を介して送信されるクロック及びデータ（この場合は撮像データ）は、制御部１１側に設けられた受信回路２１を介して該制御部１１に供給されるようになっている。
【００２２】
同様に、図２（ｂ）は、ハードディスク装置９と制御部１１とがクロック同期式の信号ライン２０を介して相互に接続されている様子を示している。この図２（ｂ）からわかるように、ハードディスク装置９側から信号ライン２０を介して送信されるクロック及びデータは、制御部１１側に設けられた受信回路２１を介して該制御部１１に供給されるようになっており、また、制御部１１側から信号ライン２０を介して送信されるクロック及びデータも、ハードディスク装置９側に設けられた受信回路２１を介して該ハードディスク装置９に供給されるようになっている。
【００２３】
同様に、図２（ｃ）は、制御部１１と液晶表示部５とがクロック同期式の信号ライン２０を介して接続されている様子を示している。この図２（ｃ）からわかるように、制御部１１側から信号ライン２０を介して送信されるクロック及びデータは、液晶表示部５側に設けられた受信回路２１を介して該液晶表示部５に供給されるようになっている。
【００２４】
このように、当該実施の形態の携帯電話機においては、各部が、例えばフレキシブル基板等のクロック同期式の信号ラインを介して接続されているのであるが、送信側から供給送信されたクロック及びデータに、上記信号ライン上で高周波成分（＝不要輻射ノイズ）が重畳する。このため、受信側において、クロックに重畳した高周波成分を除去し、この高周波成分を除去したクロックに基づいてデータを再生することで、送信側から送信されたデータを、不要輻射ノイズに影響されることなく、受信側で正確に再生するようになっている。
【００２５】
［クロック及びデータの送受信動作］
図３に、上記受信回路２１のブロック図を示す。この図３では、図２（ａ）に示した例に対応させると、送信回路４１がカメラ部８に相当し、受信回路２１が、制御部１１に設けられている受信回路２１に相当する。同様に、この図３では、図２（ｂ）に示した例に対応させると、送信回路４１がハードディスク装置９に相当し、受信回路２１が、制御部１１に設けられている受信回路２１に相当し、或いは送信回路４１が制御部１１に相当し、受信回路２１が、ハードディスク装置９に設けられている受信回路２１に相当する。同様に、この図３では、図２（ｃ）に示した例に対応させると、送信回路４１が制御部１１に相当し、受信回路２１が、液晶表示部５に設けられている受信回路２１に相当する。
【００２６】
このような図３において、送信回路４１と受信回路２１とは、フレキシブル基板等で形成されたクロック同期式の信号ライン２０を介して接続されており、この信号ライン２０を介して送信回路４１から受信回路２１に対してクロック、及びこのクロックに同期したデータが送信されるようになっている。
【００２７】
具体的には、送信回路４１から送信されるクロックは、バッファ回路４２及びローパスフィルタ４３を介して受信回路２１に送信される。この送信回路４１から受信回路２１に送信されるクロックは、ローパスフィルタ４３によりフィルタリングされる直前は、図４（ａ）に示すように略矩形状かつ一定周期のクロックとなっているのであるが、ローパスフィルタ４３によりフィルタリングされると、図４（ｂ）に示すように多少、波形鈍りの生じたクロックとなる。そして、このクロックが信号ライン２０を介して伝送することで、該信号ライン２０上で、図４（ｂ）に示すように一定周波数帯域の高周波成分（＝不要輻射ノイズ）が重畳した状態となり、受信回路２１のローパスフィルタ３１に供給される。
【００２８】
受信回路２１のローパスフィルタ３１のカットオフ周波数は、この信号ライン２０で重畳する高周波成分の周波数に設定されている。ローパスフィルタ３１は、送信回路２１から供給されたクロックから上記高周波成分を除去して波形整形バッファ回路３２に供給する。これにより、波形整形バッファ回路３２には、図４（ｃ）に示すように、ローパスフィルタ３１のフィルタリングの影響で多少、波形鈍りは生じているが、上記高周波成分が除去された状態のクロックが供給されることとなる。
【００２９】
波形整形バッファ回路３２には、所定レベルの閾値信号が供給されており、この閾値信号に基づいて、ローパスフィルタ３１から供給されたクロックに対して波形整形処理を施す。これにより、図４（ｄ）に示すような、上記高周波成分が除去され、かつ、波形整形された状態のクロックが再生されることとなる。このクロックは、以下に説明するデータが供給されるフリップフロップ３６に供給される。
【００３０】
一方、送信回路４４から送信されるデータは、該送信回路４４のバッファ回路４４から上記クロック同期式の信号ライン２０を介して受信回路２１のシフトレジスタ３３に供給される。このシフトレジスタ３３には、送信回路４１から送信されたクロックよりも高周波数のクロック（高周波クロック）が高周波クロック発生部３５から供給されている。
【００３１】
上記クロックに対しては、ローパスフィルタ３１で高周波除去処理が施され、波形整形バッファ回路３２で波形整形処理が施されているため、図４（ｄ）に示す波形整形処理後のクロックの位相と、図４（ｅ）に示すシフトレジスタ３３に供給される直前のデータの位相とを見比べて分かるように、クロックとデータとの間には、上記高周波除去処理及び波形整形処理に要した時間分の位相差が発生している。
【００３２】
このため、シフトレジスタ３３は、上記クロックに対してローパスフィルタ３１が施す高周波除去処理の処理時間分、及び上記クロックに対して波形整形バッファ回路３２が施す波形整形処理の処理時間分の遅延処理を、上記高周波クロック発生部３５からの高周波クロックに基づいて、送信回路４１から供給されたデータに対して施すことで、図４（ｆ）に示す、上記波形整形後のクロックに同期したデータを形成し、これをバッファ回路３４を介してフリップフロップ３６に供給する。フリップフロップ３６は、波形整形バッファ回路３２から供給されるクロックに基づいて、上記シフトレジスタ３３からのデータを再生して出力する。
【００３３】
フリップフロップ３６に供給されるクロックは、信号ライン２０上で重畳した高周波成分が除去され、かつ、波形整形された正確なクロックである。また、フリップフロップ３６には、このクロックに正確に同期させたデータが供給される。このため、フリップフロップ３６において、送信回路４１から送信されたデータ（及びクロック）を正確に再生することができる。
【００３４】
［実施の形態の効果］
以上の説明から明らかなように、この実施の形態の携帯電話機は、クロック同期式の信号ライン２０を介して供給されるクロックに重畳する高周波成分を、ローパスフィルタ３１で除去すると共に、この高周波成分除去処理がなされたクロックの波形を、波形整形バッファ回路３２で波形整形処理して出力する。
【００３５】
この波形整形処理後のクロックは、上記高周波成分除去処理及び波形整形処理に要する時間分、位相が遅延したものとなる。このため、シフトレジスタ３３が、上記信号ライン２０を介して受信したクロックよりも高周波数の高周波クロックに基づいて動作することで、上記信号ライン２０を介して供給されたデータに対し、上記高周波成分除去処理及び波形整形処理に要する時間分の遅延処理を施す。そして、上記波形整形処理後のクロックに位相を同期させたデータを形成し、これをフリップフロップ３６に供給する。
【００３６】
フリップフロップ３６は、信号ライン２０上で重畳した高周波成分が除去され、かつ、波形整形された正確なクロックに基づいて、当該クロックに同期したデータを再生することで、送信回路４１から送信されたデータ（及びクロック）を正確に再生して出力する。
【００３７】
クロックは、一定周期の繰り返し信号であるため、常に一定の周波数帯域の高調波成分が重畳し易い。これに対して、データは、繰り返し周期が変動する特徴を有しているため、上記クロックとは異なり、一定の周波数帯域の高調波成分は重畳し難い。このため、クロック同期式の信号ラインを介して供給されるクロック及びデータのうち、クロックからのみ高周波成分を除去し、この高周波除去及び波形整形に要する時間分の遅延をデータに施して出力することで、信号ライン２０で重畳した高周波成分を除去したクロックと、このクロックに同期したデータをフリップフロップ３６に供給して、送信回路４１から送信されたデータ（及びクロック）を正確に再生することができる。
【００３８】
そして、このようなクロック同期式の信号ラインの不要輻射ノイズ対策は、ローパスフィルタ３１、波形整形バッファ回路３２及びシフトレジスタ３３で実現することができるため、該不要輻射ノイズ対策を、簡単な構成かつ安価に実現することができる。
【００３９】
また、高周波除去及び波形整形されたクロックに基づいて正確にデータを再生することができるため、クロック同期式の信号ライン２０を介して行うデータ通信の信頼度の向上を図ることができる。
【００４０】
［変形例］
上述の実施の形態の説明では、本発明を携帯電話機に適用することとしたが、本発明は、この他、ＰＨＳ電話機（PHS：Personal Handyphone System）、ＰＤＡ装置（PDA：Personal Digital Assistant），ノート型のパーソナルコンピュータ装置等の他の携帯端末装置の他、クロック同期式の信号ラインを介してクロック及びデータの送受信を行うあらゆる電子機器に適用することができる。この場合でも上述と同様の効果を得ることができる。
【００４１】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００４２】
【図１】本発明を適用した実施の形態となる携帯電話機のブロック図である。
【図２】実施の形態の携帯電話機において、クロック同期式の信号ラインを介して接続された各部の一例を示す図である。
【図３】実施の形態の携帯電話機において、クロック同期式の信号ラインを介して接続された送信側（送信回路）及び受信側（受信回路）のブロック図である。
【図４】実施の形態の携帯電話機において、クロック同期式の信号ラインを介して接続された送信側（送信回路）及び受信側（受信回路）で送受信されるクロック及びデータを示すタイムチャートである。
【符号の説明】
【００４３】
１  アンテナ、２  通信回路、３  スピーカ部、４  マイクロホン部、５  液晶表示部、６  操作部、７  発光部（ＬＥＤ）、８  カメラ部、９  ハードディスク装置、１０  メモリ、１１  制御部、２１  受信回路、３１  受信回路側のローパスフィルタ（ＬＰＦ）、３２  波形整形バッファ回路、３３  シフトレジスタ、３４  バッファ回路、３５  高周波クロック発生部、３６  フリップフロップ、４２  バッファ回路、４３  送信回路側のローパスフィルタ（ＬＰＦ）、４４  バッファ回路
【図１】
2007088789.tif 000003
【図２】
2007088789.tif 000004
【図３】
2007088789.tif 000005
【図４】
2007088789.tif 000006